(57)【要約】      （修正有）【課題】異臭発生や容器の腐食を起こすことなく、反応性基を有していても問題の無い、加水分解性を制御したアルコキシシラン組成物の提供。【解決手段】塩素置換された３級炭素を有する化合物と、下記一般式（Ｉ）で示されるアルコキシシラン化合物とを含むアルコキシシラン組成物。ＲmＳｉ（ＯＲ1）4-m（Ｉ）（式中、Ｒは水素原子又は炭素原子数１〜２０の置換もしくは非置換の１価炭化水素基であり、Ｒ1は炭素原子数１〜２０の置換もしくは非置換の１価炭化水素基であり、ｍは０〜３の整数である。）アルコキシシラン化合物と、塩素置換された３級炭素を有する化合物と、水とを含むことにより、当初中性であるアルコキシシラン組成物が、塩素置換された３級炭素を有する化合物から遊離された塩素により、酸性となって加水分解される。【選択図】なし【特許請求の範囲】
【請求項１】
塩素置換された３級炭素を有する化合物と、下記一般式（Ｉ）で示されるアルコキシシラン化合物とを含むアルコキシシラン組成物。
ＲmＳｉ（ＯＲ1）4-m          （Ｉ）
（式中、Ｒは水素原子又は炭素原子数１〜２０の置換もしくは非置換の１価炭化水素基であり、Ｒ1は炭素原子数１〜２０の置換もしくは非置換の１価炭化水素基であり、ｍは０〜３の整数である。）
【請求項２】
前記塩素置換された３級炭素を有する化合物が、下記一般式（ＩＩ）で示される化合物である請求項１記載のアルコキシシラン組成物。
Ｒ23ＣＣｌ          （ＩＩ）
（式中、Ｒ2は炭素原子数１〜２０の置換もしくは非置換の１価炭化水素基であり、２個のＲ2は互いに結合してこれらが結合する炭素原子と共に炭素原子数３〜２０の環を形成してもよい。）
【請求項３】
前記塩素置換された３級炭素を有する化合物が、クロロアルカンである請求項１又は２記載のアルコキシシラン組成物。
【請求項４】
アルコキシシラン化合物に対する塩素置換された３級炭素を有する化合物の含有量が、塩素質量分で１〜１０，０００ｐｐｍである請求項１〜３のいずれか１項記載のアルコキシシラン組成物。
【発明の詳細な説明】
【技術分野】
【０００１】
本発明は加水分解性能を制御可能なアルコキシシラン組成物に関する。
【背景技術】
【０００２】
アルコキシシランは、シランカップリング剤やシリコーンゴム架橋剤の他、電子材料用として利用されており、主に加水分解を行って使用される。
特許文献１（特表２００９−５０１１２３号公報）又は特許文献２（特表２００８−５０８３７０号公報）に記載のように、特に水溶性に乏しいアルコキシシランの場合には、触媒として酢酸を添加した組成物を調製して加水分解を行っている。
【先行技術文献】
【特許文献】
【０００３】
【特許文献１】特表２００９−５０１１２３号公報
【特許文献２】特表２００８−５０８３７０号公報
【発明の概要】
【発明が解決しようとする課題】
【０００４】
しかしながら、酢酸を添加したアルコキシシラン組成物は酢酸臭がする一方、他の酸を用いた場合でもその酸により溶液が酸性となるため、保存中に容器の腐食が起こりやすくなり、更に中性時に比べて取り扱い時の安全性に劣る。また、エポキシ等の反応性基を有するアルコキシシランの場合、含まれる酸が加水分解触媒として働くよりも先に反応性基と反応してしまい、加水分解が進行しないことがあるといった問題がある。
従って、本発明は異臭発生や容器の腐食を起こすことなく、反応性基を有していても問題の無い、加水分解性を制御したアルコキシシラン組成物を提供することを目的とする。
【課題を解決するための手段】
【０００５】
本発明者らは上記目的を達成するために検討を重ねた結果、アルコキシシランの加水分解触媒として、塩素置換された３級炭素を有する化合物を含むアルコキシシラン組成物とすることにより、当初中性であるが、その後に酸性となり加水分解できることを知見し、本発明を完成するに至った。
【０００６】
従って、本発明は下記に示すアルコキシシラン組成物を提供する。
〔１〕
塩素置換された３級炭素を有する化合物と、下記一般式（Ｉ）で示されるアルコキシシラン化合物とを含むアルコキシシラン組成物。
ＲmＳｉ（ＯＲ1）4-m          （Ｉ）
（式中、Ｒは水素原子又は炭素原子数１〜２０の置換もしくは非置換の１価炭化水素基であり、Ｒ1は炭素原子数１〜２０の置換もしくは非置換の１価炭化水素基であり、ｍは０〜３の整数である。）
〔２〕
前記塩素置換された３級炭素を有する化合物が、下記一般式（ＩＩ）で示される化合物である〔１〕記載のアルコキシシラン組成物。
Ｒ23ＣＣｌ          （ＩＩ）
（式中、Ｒ2は炭素原子数１〜２０の置換もしくは非置換の１価炭化水素基であり、２個のＲ2は互いに結合してこれらが結合する炭素原子と共に炭素原子数３〜２０の環を形成してもよい。）
〔３〕
前記塩素置換された３級炭素を有する化合物が、クロロアルカンである〔１〕又は〔２〕記載のアルコキシシラン組成物。
〔４〕
アルコキシシラン化合物に対する塩素置換された３級炭素を有する化合物の含有量が、塩素質量分で１〜１０，０００ｐｐｍである〔１〕〜〔３〕のいずれかに記載のアルコキシシラン組成物。
【発明の効果】
【０００７】
本発明によれば、アルコキシシラン化合物と、塩素置換された３級炭素を有する化合物とを含むことにより、当初中性であるアルコキシシラン組成物が、塩素置換された３級炭素を有する化合物から遊離された塩素により、酸性となって加水分解される。また、塩素置換された３級炭素を有する化合物の種類とその添加量を調節することにより、加水分解時間の調節が可能となる。
【発明を実施するための形態】
【０００８】
本発明のアルコキシシラン化合物は下記一般式（Ｉ）で示されるものである。
ＲmＳｉ（ＯＲ1）4-m          （Ｉ）
（式中、Ｒは水素原子、又は炭素原子数１〜２０の置換もしくは非置換の１価炭化水素基であり、Ｒ1は炭素原子数１〜２０の置換もしくは非置換の１価炭化水素基であり、ｍは０〜３の整数である。）
【０００９】
ここで、上記一般式（Ｉ）におけるＲ及びＲ1の置換もしくは非置換の１価炭化水素基としては、炭素原子数１〜２０、好ましくは炭素原子数１〜１０、より好ましくは炭素原子数１〜５の１価炭化水素基が挙げられ、直鎖状、分岐鎖状又は環状のアルキル基、アルケニル基、アリール基、アラルキル基等が挙げられる。具体的には、メチル基、エチル基、プロピル基、ブチル基、ペンチル基、ヘキシル基、ヘプチル基、オクチル基、ノニル基、デシル基、ウンデシル基、ドデシル基、テトラデシル基、ヘキサデシル基、オクタデシル基、イコシル基等の直鎖状のアルキル基、イソプロピル基、イソブチル基、ｓｅｃ−ブチル基、ｔｅｒｔ−ブチル基、テキシル基、２−エチルヘキシル基等の分岐鎖状のアルキル基、シクロペンチル基、シクロヘキシル基等の環状のアルキル基、ビニル基、アリル基、プロペニル基等のアルケニル基、フェニル基、トリル基等のアリール基、ベンジル基等のアラルキル基等が例示され、特に汎用性の点でメチル基、エチル基、イソプロピル基、ｓｅｃ−ブチル基、ｔｅｒｔ−ブチル基等の炭素原子数１〜５の直鎖又は分岐鎖状のアルキル基が好ましい。また、炭化水素基の水素原子の一部又は全部が置換されていてもよく、該置換基としては具体的には、メトキシ基、エトキシ基、（イソ）プロポキシ基等の炭素原子数１〜５のアルコキシ基；フッ素原子、塩素原子、臭素原子、ヨウ素原子等のハロゲン原子、シアノ基、アミノ基、エポキシ基、アクリル基、メタクリル基、炭素原子数２〜１０、好ましくは炭素原子数２〜６のアシル基等が挙げられる。
【００１０】
一般式（Ｉ）で示されるアルコキシシラン化合物の具体例としては、メチルジメトキシシラン、トリメトキシシラン、メチルジエトキシシラン、トリエトキシシラン、メチルジプロポキシシラン、トリプロポキシシラン、メチルジイソプロポキシシラン、トリイソプロポキシシラン、メチルジブトキシシラン、トリブトキシシラン、トリメチルメトキシシラン、トリメチルエトキシシラン、トリメチルプロポキシシラン、トリメチルイソプロポキシシラン、トリメチルブトキシシラン、トリエチルメトキシシラン、トリエチルエトキシシラン、トリエチルプロポキシシラン、トリエチルイソプロポキシシラン、トリエチルブトキシシラン、ジフェニルメトキシシラン、ジフェニルエトキシシラン、ジフェニルプロポキシシラン、ジフェニルイソプロポキシシラン、ジフェニルブトキシシラン、メチルトリメトキシシラン、メチルトリエトキシシラン、メチルトリプロポキシシラン、メチルトリイソプロポキシシラン、メチルトリブトキシシラン、ジメチルジメトキシシラン、ジメチルジエトキシシラン、ジメチルジプロポキシシラン、ジメチルジイソプロポキシシラン、ジメチルジブトキシシラン、テトラメトキシシラン、テトラエトキシシラン、テトラプロポキシシラン、テトライソプロポキシシラン、テトラブトキシシラン、エチルトリメトキシシラン、エチルトリエトキシシラン、エチルトリプロポキシシラン、エチルトリイソプロポキシシラン、エチルトリブトキシシラン、ジエチルジメトキシシラン、ジエチルジエトキシシラン、ジエチルジプロポキシシラン、ジエチルジイソプロポキシシラン、ジエチルジブトキシシラン、プロピルトリメトキシシラン、プロピルトリエトキシシラン、プロピルトリプロポキシシラン、プロピルトリイソプロポキシシラン、プロピルトリブトキシシラン、ジプロピルジメトキシシラン、ジプロピルジエトキシシラン、ジプロピルジプロポキシシラン、ジプロピルジイソプロポキシシラン、ジプロピルジブトキシシラン、トリプロピルメトキシシラン、トリプロピルエトキシシラン、トリプロピルプロポキシシラン、トリプロピルイソプロポキシシラン、トリプロピルブトキシシラン、ブチルトリメトキシシラン、ブチルトリエトキシシラン、ブチルトリプロポキシシラン、ブチルトリイソプロポキシシラン、ブチルトリブトキシシラン、ジブチルジメトキシシラン、ジブチルジエトキシシラン、ジブチルジプロポキシシラン、ジブチルジイソプロポキシシラン、ジブチルジブトキシシラン、トリブチルメトキシシラン、トリブチルエトキシシラン、トリブチルプロポキシシラン、トリブチルイソプロポキシシラン、トリブチルブトキシシラン、フェニルトリメトキシシラン、フェニルトリエトキシシラン、フェニルトリプロポキシシラン、フェニルトリイソプロポキシシラン、フェニルトリブトキシシラン、ジフェニルジメトキシシラン、ジフェニルジエトキシシラン、ジフェニルジプロポキシシラン、ジフェニルジイソプロポキシシラン、ジフェニルジブトキシシラン、トリフェニルメトキシシラン、トリフェニルエトキシシラン、トリフェニルプロポキシシラン、トリフェニルイソプロポキシシラン、トリフェニルブトキシシラン、ビニルトリメトキシシラン、ビニルトリエトキシシラン、ビニルトリプロポキシシラン、ビニルトリイソプロポキシシラン、ビニルトリブトキシシラン、ジビニルジメトキシシラン、ジビニルジエトキシシラン、ジビニルジプロポキシシラン、ジビニルジイソプロポキシシラン、ジビニルジブトキシシラン、トリビニルメトキシシラン、トリビニルエトキシシラン、トリビニルプロポキシシラン、トリビニルイソプロポキシシラン、トリビニルブトキシシラン、アリルトリメトキシシラン、アリルトリエトキシシラン、アリルトリプロポキシシラン、アリルトリイソプロポキシシラン、アリルトリブトキシシラン、ジアリルジメトキシシラン、ジアリルジエトキシシラン、ジアリルジプロポキシシラン、ジアリルジイソプロポキシシラン、ジアリルジブトキシシラン、ジアリルジブトキシシラン、トリアリルメトキシシラン、トリアリルエトキシシラン、トリアリルプロポキシシラン、トリアリルイソプロポキシシラン、トリアリルブトキシシラン、ヘキシルトリメトキシシラン、ヘキシルトリエトキシシラン、ヘキシルトリプロポキシシラン、ヘキシルトリイソプロポキシシラン、ヘキシルトリブトキシシラン、デシルトリメトキシシラン、デシルトリエトキシシラン、デシルトリプロポキシシラン、デシルトリイソプロポキシシラン、デシルトリブトキシシラン、２−（３，４−エポキシシクロヘキシル）エチルトリメトキシシラン、２−（３，４−エポキシシクロヘキシル）エチルトリエトキシシラン、２−（３，４−エポキシシクロヘキシル）エチルメチルジメトキシシラン、２−（３，４−エポキシシクロヘキシル）エチルメチルジエトキシシラン、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、３−メタクリロキシプロピルトリメトキシシラン、３−メタクリロキシプロピルトリエトキシシラン、３−メタクリロキシプロピルメチルジメトキシシラン、３−メタクリロキシプロピルメチルジエトキシシラン、３−アクリロキシプロピルトリメトキシシラン、３−アクリロキシプロピルトリエトキシシラン、３−アクリロキシプロピルメチルジメトキシシラン、３−アクリロキシプロピルメチルジエトキシラン、トリフルオロプロピルトリメトキシシラン、トリフルオロプロピルトリエトキシシラン等のアルコキシシラン類が挙げられる。
【００１１】
本発明の塩素置換された３級炭素を有する化合物は、下記一般式（ＩＩ）で示されるものが好ましい。
Ｒ23ＣＣｌ          （ＩＩ）
（式中、Ｒ2は炭素原子数１〜２０、好ましくは炭素原子数１〜１０、より好ましくは炭素原子数１〜５の置換もしくは非置換の１価炭化水素基であり、２個のＲ2は互いに結合してこれらが結合する炭素原子と共に炭素原子数３〜２０、好ましくは炭素原子数３〜１０、より好ましくは炭素原子数３〜６の環を形成してもよい。）
【００１２】
ここで、上記一般式（ＩＩ）におけるＲ2はＲやＲ1と同様な置換基が挙げられ、直鎖状、分岐状又は環状のアルキル基、アルケニル基、アリール基、アラルキル基等が挙げられる。具体的にはメチル基、エチル基、プロピル基、プロピル基、ブチル基、ペンチル基、ヘキシル基、ヘプチル基、オクチル基、ノニル基、デシル基、ウンデシル基、ドデシル基、テトラデシル基、ヘキサデシル基、オクタデシル基、イコシル基等の直鎖状のアルキル基、イソプロピル基、イソブチル基、ｓｅｃ−ブチル基、ｔｅｒｔ−ブチル基、テキシル基、２−エチルヘキシル基等の分岐鎖状のアルキル基、シクロペンチル基、シクロヘキシル基等の環状のアルキル基、ビニル基、アリル基、プロぺニル基等のアルケニル基、フェニル基、トリル基等のアリール基、ベンジル基等のアラルキル基等が例示され、特に汎用性の点で、メチル基、エチル基、イソプロピル基、ｓｅｃ−ブチル基、ｔｅｒｔ−ブチル基等の炭素原子数１〜５のアルキル基が好ましい。また、炭化水素基の水素原子の一部又は全部が置換されていてもよく、該置換基としては具体的には、例えば、メトキシ基、エトキシ基、（イソ）プロポキシ基等のアルコキシ基；フッ素原子、塩素原子、臭素原子、ヨウ素原子等のハロゲン原子、シアノ基、アミノ基、炭素原子数２〜１０のアシル基等が挙げられる。
２個のＲ2が互いに結合してこれらが結合する炭素原子と共に環を形成する場合の具体例としては、シクロペンチル、シクロヘキシル、ノルボルニル、アダマンチル等の脂環、フェニル、ナフチル等の芳香環が挙げられる。
【００１３】
一般式（ＩＩ）で示される塩素置換された３級炭素を有する化合物の具体例としては２−クロロ−２−メチルプロパン、２−クロロ−２−メチルブタン、２−クロロ−２，３−ジメチルブタン、２−クロロ−２−メチルペンタン、２−クロロ−２，３−ジメチルペンタン、２−クロロ−２，４−ジメチルペンタン、２−クロロ−２，３，３−トリメチルペンタン、２−クロロ−２，３，４−トリメチルペンタン、２−クロロ−２，３，３，４−テトラメチルペンタン、２−クロロ−２，３，４，４−テトラメチルペンタン、２−クロロ−２，３，３，４，４−ペンタメチルペンタン、３−クロロ−３−メチルペンタン、３−クロロ−２，３−ジメチルペンタン、３−クロロ−２，３，４−トリメチルペンタン、３−クロロ−２，２，３−トリメチルペンタン、３−クロロ−２，２，３，４−テトラメチルペンタン、３−クロロ−２，２，３，４，４−ペンタメチルペンタン、２−クロロ−２−メチルヘキサン、２−クロロ−２，３−ジメチルヘキサン、２−クロロ−２，４−ジメチルヘキサン、２−クロロ−２，５−ジメチルヘキサン、２−クロロ−２，３，３−トリメチルヘキサン、２−クロロ−２，３，４−トリメチルヘキサン、２−クロロ−２，３，５−トリメチルヘキサン、２−クロロ−２，３，３，４−テトラメチルヘキサン、２−クロロ−２，３，４，４−テトラメチルヘキサン、２−クロロ−２，３，４，５−テトラメチルヘキサン、２−クロロ−２，３，５，５−テトラメチルヘキサン、２−クロロ−２，４，５，５−テトラメチルヘキサン、２−クロロ−２，３，３，４，４−ペンタメチルヘキサン、２−クロロ−２，３，３，４，５−ペンタメチルヘキサン、２−クロロ−２，３，４，４，５−ペンタメチルヘキサン、２−クロロ−２，３，４，５，５−ペンタメチルヘキサン、２−クロロ−２，３，３，４，４，５−ヘキサメチルヘキサン、２−クロロ−２，３，３，４，４，５，５−ヘプタメチルヘキサン、３−クロロ−３−メチルヘキサン、３−クロロ−２，３−ジメチルヘキサン、３−クロロ−３，４−ジメチルヘキサン、３−クロロ−３，５−ジメチルヘキサン、３−クロロ−２，２，３−トリメチルヘキサン、３−クロロ−２，３，４−トリメチルヘキサン、３−クロロ−２，３，５−トリメチルヘキサン、３−クロロ−２，２，３，４−テトラメチルヘキサン、３−クロロ−２，３，４，４−テトラメチルヘキサン、３−クロロ−２，３，４，５−テトラメチルヘキサン、
３−クロロ−２，２，３，４，４−ペンタメチルヘキサン、３−クロロ−２，２，３，４，５−ペンタメチルヘキサン、３−クロロ−２，３，４，４，５−ペンタメチルヘキサン、３−クロロ−２，３，４，５，５−ペンタメチルヘキサン、３−クロロ−２，２，３，４，４，５−ヘキサメチルヘキサン、３−クロロ−２，２，３，４，４，５，５−ヘプタメチルヘキサン、２−クロロ−２−メチルヘプタン、２−クロロ−２，３−ジメチルヘプタン、２−クロロ−２，４−ジメチルヘプタン、２−クロロ−２，５−ジメチルヘプタン、２−クロロ−２，６−ジメチルヘプタン、２−クロロ−２，３，３−トリメチルヘプタン、２−クロロ−２，３，４−トリメチルヘプタン、２−クロロ−２，３，５−トリメチルヘプタン、２−クロロ−２，３，６−トリメチルヘプタン、２−クロロ−２，３，３，４−テトラメチルヘプタン、２−クロロ−２，３，３，５−テトラメチルヘプタン、２−クロロ−２，３，３，６−テトラメチルヘプタン、２−クロロ−２，３，４，４−テトラメチルヘプタン、２−クロロ−２，３，４，５−テトラメチルヘプタン、２−クロロ−２，３，４，６−テトラメチルヘプタン、２−クロロ−２，４，４，５−テトラメチルヘプタン、２−クロロ−２，４，４，６−テトラメチルヘプタン、２−クロロ−２，４，５，５−テトラメチルヘプタン、２−クロロ−２，４，５，６−テトラメチルヘプタン、２−クロロ−２，４，６，６−テトラメチルヘプタン、２−クロロ−２，３，３，４，４−ペンタメチルヘプタン、２−クロロ−２，３，３，４，５−ペンタメチルヘプタン、２−クロロ−２，３，３，４，６−ペンタメチルヘプタン、２−クロロ−２，３，４，４，５−ペンタメチルヘプタン、２−クロロ−２，３，４，４，６−ペンタメチルヘプタン、２−クロロ−２，３，４，５，５−ペンタメチルヘプタン、２−クロロ−２，３，４，５，６−ペンタメチルヘプタン、２−クロロ−２，３，４，６，６−ペンタメチルヘプタン、２−クロロ−２，４，５，５，６−ペンタメチルヘプタン、２−クロロ−２，４，５，６，６−ペンタメチルヘプタン、３−クロロ−３−メチルヘプタン、３−クロロ−２，３−ジメチルヘプタン、３−クロロ−３，４−ジメチルヘプタン、３−クロロ−３，５−ジメチルヘプタン、３−クロロ−３，６−ジメチルヘプタン、３−クロロ−２，２，３−トリメチルヘプタン、３−クロロ−２，３，４−トリメチルヘプタン、３−クロロ−２，３，５−トリメチルヘプタン、３−クロロ−２，３，６−トリメチルヘプタン、３−クロロ−２，２，３，４−テトラメチルヘプタン、３−クロロ−２，２，３，５−テトラメチルヘプタン、３−クロロ−２，２，３，６−テトラメチルヘプタン、３−クロロ−２，３，４，４−テトラメチルヘプタン、３−クロロ−２，３，４，５−テトラメチルヘプタン、３−クロロ−２，３，４，６−テトラメチルヘプタン、３−クロロ−３，４，４，５−テトラメチルヘプタン、３−クロロ−３，４，４，６−テトラメチルヘプタン、３−クロロ−３，４，５，５−テトラメチルヘプタン、３−クロロ−３，４，５，６−テトラメチルヘプタン、３−クロロ−３，４，６，６−テトラメチルヘプタン、３−クロロ−２，２，３，４，４−ペンタメチルヘプタン、３−クロロ−２，２，３，４，５−ペンタメチルヘプタン、３−クロロ−２，２，３，４，６−ペンタメチルヘプタン、３−クロロ−２，３，４，４，５−ペンタメチルヘプタン、３−クロロ−２，３，４，４，６−ペンタメチルヘプタン、３−クロロ−２，３，４，５，５−ペンタメチルヘプタン、３−クロロ−２，３，４，５，６−ペンタメチルヘプタン、４−クロロ−４−メチルヘプタン、４−クロロ−２，４−ジメチルヘプタン、４−クロロ−３，４−ジメチルヘプタン、４−クロロ−２，２，４−トリメチルヘプタン、４−クロロ−２，３，４−トリメチルヘプタン、４−クロロ−２，４，５−トリメチルヘプタン、４−クロロ−２，４，６−トリメチルヘプタン、４−クロロ−３，３，４−トリメチルヘプタン、４−クロロ−３，４，５−トリメチルヘプタン、４−クロロ−２，２，３，４−テトラメチルヘプタン、４−クロロ−２，２，４，５−テトラメチルヘプタン、４−クロロ−２，２，４，６−テトラメチルヘプタン、４−クロロ−２，３，３，４−テトラメチルヘプタン、４−クロロ−２，３，４，５−テトラメチルヘプタン、４−クロロ−２，３，４，６−テトラメチルヘプタン、４−クロロ−２，４，５，５−テトラメチルヘプタン、４−クロロ−２，４，５，６−テトラメチルヘプタン、４−クロロ−３，３，４，５−テトラメチルヘプタン、４−クロロ−２，２，３，３，４−ペンタメチルヘプタン、４−クロロ−２，３，３，４，５−ペンタメチルヘプタン、４−クロロ−２，３，３，４，６−ペンタメチルヘプタン、４−クロロ−２，３，４，５，５−ペンタメチルヘプタン、４−クロロ−２，２，３，４，６−ペンタメチルヘプタン、４−クロロ−２，２，４，５，５−ペンタメチルヘプタン、４−クロロ−２，３，４，５，６−ペンタメチルヘプタン、２−クロロ−２−メチルオクタン、２−クロロ−２，３−ジメチルオクタン、２−クロロ−２，４−ジメチルオクタン、２−クロロ−２，５−ジメチルオクタン、２−クロロ−２，６−ジメチルオクタン、２−クロロ−２，７−ジメチルオクタン、２−クロロ−２，３，３−トリメチルオクタン、２−クロロ−２，３，４−トリメチルオクタン、２−クロロ−２，３，５−トリメチルオクタン、２−クロロ−２，３，６−トリメチルオクタン、２−クロロ−２，３，７−トリメチルオクタン、２−クロロ−２，４，４−トリメチルオクタン、２−クロロ−２，４，５−トリメチルオクタン、２−クロロ−２，４，６−トリメチルオクタン、２−クロロ−２，４，７−トリメチルオクタン、２−クロロ−２，５，５−トリメチルオクタン、２−クロロ−２，５，６−トリメチルオクタン、２−クロロ−２，５，７−トリメチルオクタン、２−クロロ−２，６，６−トリメチルオクタン、２−クロロ−２，６，７−トリメチルオクタン、２−クロロ−２，７，７−トリメチルオクタン、２−クロロ−２，３，３，４−テトラメチルオクタン、２−クロロ−２，３，３，５−テトラメチルオクタン、２−クロロ−２，３，３，６−テトラメチルオクタン、２−クロロ−２，３，３，７−テトラメチルオクタン、２−クロロ−２，３，４，４−テトラメチルオクタン、２−クロロ−２，３，４，５−テトラメチルオクタン、２−クロロ−２，３，４，６−テトラメチルオクタン、２−クロロ−２，３，４，７−テトラメチルオクタン、２−クロロ−２，３，５，５−テトラメチルオクタン、２−クロロ−２，３，５，６−テトラメチルオクタン、２−クロロ−２，３，５，７−テトラメチルオクタン、２−クロロ−２，３，６，６−テトラメチルオクタン、２−クロロ−２，３，６，７−テトラメチルオクタン、２−クロロ−２，３，７，７−テトラメチルオクタン、２−クロロ−２，４，４，５−テトラメチルオクタン、２−クロロ−２，４，４，６−テトラメチルオクタン、２−クロロ−２，４，４，７−テトラメチルオクタン、２−クロロ−２，４，５，５−テトラメチルオクタン、２−クロロ−２，４，５，６−テトラメチルオクタン、２−クロロ−２，４，５，７−テトラメチルオクタン、２−クロロ−２，４，６，６−テトラメチルオクタン、２−クロロ−２，４，６，７−テトラメチルオクタン、２−クロロ−２，４，７，７−テトラメチルオクタン、２−クロロ−２，５，５，６−テトラメチルオクタン、２−クロロ−２，５，５，７−テトラメチルオクタン、２−クロロ−２，５，６，６−テトラメチルオクタン、２−クロロ−２，５，６，７−テトラメチルオクタン、２−クロロ−２，５，７，７−テトラメチルオクタン、２−クロロ−２，６，６，７−テトラメチルオクタン、２−クロロ−２，６，７，７−テトラメチルオクタン、３−クロロ−３−メチルオクタン、３−クロロ−２，３−ジメチルオクタン、３−クロロ−３，４−ジメチルオクタン、３−クロロ−３，５−ジメチルオクタン、３−クロロ−３，６−ジメチルオクタン、３−クロロ−３，７−ジメチルオクタン、３−クロロ−２，２，３−トリメチルオクタン、３−クロロ−２，３，４−トリメチルオクタン、３−クロロ−２，３，５−トリメチルオクタン、３−クロロ−２，３，６−トリメチルオクタン、３−クロロ−２，３，７−トリメチルオクタン、３−クロロ−３，４，４−トリメチルオクタン、３−クロロ−３，４，５−トリメチルオクタン、３−クロロ−３，４，６−トリメチルオクタン、３−クロロ−３，４，７−トリメチルオクタン、３−クロロ−３，５，５−トリメチルオクタン、３−クロロ−３，５，６−トリメチルオクタン
、３−クロロ−３，５，７−トリメチルオクタン、３−クロロ−３，６，６−トリメチルオクタン、３−クロロ−３，６，７−トリメチルオクタン、３−クロロ−３，７，７−トリメチルオクタン、３−クロロ−２，２，３，４−テトラメチルオクタン、３−クロロ−２，２，３，５−テトラメチルオクタン、３−クロロ−２，２，３，６−テトラメチルオクタン、３−クロロ−２，２，３，７−テトラメチルオクタン、３−クロロ−２，３，４，４−テトラメチルオクタン、３−クロロ−２，３，４，５−テトラメチルオクタン、３−クロロ−２，３，４，６−テトラメチルオクタン、３−クロロ−２，３，４，７−テトラメチルオクタン、３−クロロ−２，３，５，５−テトラメチルオクタン、３−クロロ−２，３，５，６−テトラメチルオクタン、３−クロロ−２，３，５，７−テトラメチルオクタン、３−クロロ−２，３，６，６−テトラメチルオクタン、３−クロロ−２，３，６，７−テトラメチルオクタン、３−クロロ−２，３，７，７−テトラメチルオクタン、３−クロロ−３，４，４，５−テトラメチルオクタン、３−クロロ−３，４，４，６−テトラメチルオクタン、３−クロロ−３，４，４，７−テトラメチルオクタン、３−クロロ−３，４，５，５−テトラメチルオクタン、３−クロロ−３，４，５，６−テトラメチルオクタン、３−クロロ−３，４，５，７−テトラメチルオクタン、３−クロロ−３，４，６，６−テトラメチルオクタン、３−クロロ−３，４，６，７−テトラメチルオクタン、３−クロロ−３，４，７，７−テトラメチルオクタン、３−クロロ−３，５，５，６−テトラメチルオクタン、３−クロロ−３，５，５，７−テトラメルオクタン、３−クロロ−３，５，６，６−テトラメチルオクタン、３−クロロ−３，５，６，７−テトラメチルオクタン、３−クロロ−３，５，７，７−テトラメチルオクタン、３−クロロ−３，６，６，７−テトラメチルオクタン、３−クロロ−３，６，７，７−テトラメチルオクタン、４−クロロ−４−メチルオクタン、４−クロロ−２，４−ジメチルオクタン、４−クロロ−３，４−ジメチルオクタン、４−クロロ−４，５−ジメチルオクタン、４−クロロ−４，６−ジメチルオクタン、４−クロロ−４，７−ジメチルオクタン、４−クロロ−２，２，４−トリメチルオクタン、４−クロロ−２，３，４−トリメチルオクタン、４−クロロ−２，４，５−トリメチルオクタン、４−クロロ−２，４，６−トリメチルオクタン、４−クロロ−２，４，７−トリメチルオクタン、４−クロロ−３，３，４−トリメチルオクタン、４−クロロ−３，４，５−トリメチルオクタン、４−クロロ−３，４，６−トリメチルオクタン、４−クロロ−３，４，７−トリメチルオクタン、４−クロロ−４，５，５−トリメチルオクタン、４−クロロ−４，５，６−トリメチルオクタン、４−クロロ−４，５，７−トリメチルオクタン、４−クロロ−４，６，６−トリメチルオクタン、４−クロロ−４，６，７−トリメチルオクタン、４−クロロ−４，７，７−トリメチルオクタン、４−クロロ−２，２，３，４−テトラメチルオクタン、４−クロロ−２，２，４，５−テトラメチルオクタン、４−クロロ−２，２，４，６−テトラメチルオクタン、４−クロロ−２，２，４，７−テトラメチルオクタン、４−クロロ−２，３，３，４−テトラメチルオクタン、４−クロロ−２，３，４，５−テトラメチルオクタン、４−クロロ−２，３，４，６−テトラメチルオクタン、４−クロロ−２，３，４，７−テトラメチルオクタン、４−クロロ−２，４，５，５−テトラメチルオクタン、４−クロロ−２，４，５，６−テトラメチルオクタン、４−クロロ−２，４，５，７−テトラメチルオクタン、４−クロロ−２，４，６，６−テトラメチルオクタン、４−クロロ−２，４，６，７−テトラメチルオクタン、４−クロロ−２，４，７，７−テトラメチルオクタン、４−クロロ−３，３，４，５−テトラメチルオクタン、４−クロロ−３，３，４，６−テトラメチルオクタン、４−クロロ−３，３，４，７−テトラメチルオクタン、４−クロロ−３，４，５，５−テトラメチルオクタン、４−クロロ−３，４，５，６−テトラメルオクタン、４−クロロ−３，４，５，７−テトラメチルオクタン、４−クロロ−３，４，６，６−テトラメチルオクタン、４−クロロ−３，４，６，７−テトラメチルオクタン、４−クロロ−３，４，７，７−テトラメチルオクタン、４−クロロ−４，５，５，６−テトラメチルオクタン、４−クロロ−４，５，５，７−テトラメチルオクタン、４−クロロ−４，５，６，６−テトラメチルオクタン、４−クロロ−４，５，６，７−テトラメチルオクタン、４−クロロ−４，５，７，７−テトラメチルオクタン、４−クロロ−４，６，６，７−テトラメチルオクタン、４−クロロ−４，６，７，７−テトラメチルオクタン、１−クロロ−１−メチルシクロペンタン、１−クロロ−１，２−ジメチルシクロペンタン、１−クロロ−１，３−ジメチルシクロペンタン、１−クロロ−１，２，２−トリメチルシクロペンタン、１−クロロ−１，２，３−トリメチルシクロペンタン、１−クロロ−１，２，４−トリメチルシクロペンタン、１−クロロ−１，２，５−トリメチルシクロペンタン、１−クロロ−１，３，３−トリメチルシクロペンタン、１−クロロ−１，３，４−トリメチルシクロペンタン、１−クロロ−１−メチルシクロヘキサン、１−クロロ−１，２−ジメチルシクロヘキサン、１−クロロ−１，３−ジメチルシクロヘキサン、１−クロロ−１，４−ジメチルシクロヘキサン、１−クロロ−１，２，２−トリメチルシクロヘキサン、１−クロロ−１，２，３−トリメチルシクロヘキサン、１−クロロ−１，２，４−トリメチルシクロヘキサン、１−クロロ−１，２，５−トリメチルシクロヘキサン、１−クロロ−１，２，６−トリメチルシクロヘキサン、１−クロロ−１，３，３−トリメチルシクロヘキサン、１−クロロ−１，３，４−トリメチルシクロヘキサン、１−クロロ−１，３，５−トリメチルシクロヘキサン、１−クロロ−１，４，４−トリメチルシクロヘキサン、２−クロロ−２−フェニルプロパン、１−クロロ−１，１−ジフェニルエタン、トリチルクロリド、３−クロロ−３，３−ジメチルブテン、３−クロロ−３，３−ジメチルブチン、１−クロロアダマンタン、１−クロロ−３，５−ジメチルアダマンタン等が挙げられる。アルコキシシラン化合物に対する塩素置換された３級炭素を有する化合物の添加量は、経済的な観点から塩素質量分で１〜１０，０００ｐｐｍ、より好ましくは１〜５，０００ｐｐｍ、更に好ましくは１〜１，０００ｐｐｍである。
【００１４】
当該アルコキシシラン組成物の加水分解を行う場合に好ましい水の量は、アルコキシシラン組成物の質量に対して実用的な観点から、１，０００倍以下、より好ましくは５００倍以下、更に好ましくは２００倍以下である。
【００１５】
当該アルコキシシラン組成物を得るための方法は任意であるが、例えばアルコキシシラン化合物中に塩素置換された３級炭素を有する化合物を添加する方法や、塩素置換された３級炭素を有する化合物にアルコキシシラン化合物を添加する方法、塩素置換された３級炭素を有する化合物を含むクロロシランをアルコールと反応させる方法、オレフィンを含むクロロシランをアルコールと反応させる方法等が挙げられる。
【実施例】
【００１６】
以下、実施例によってアルコキシシラン中に含まれる化合物の種類と含有量によりアルコキシシランの加水分解時間を調節することができること、加水分解された後に初めて酸性となることを示すが、本発明は下記の実施例に限定されるものではない。
なお、アルコキシシランは均一な水溶液として使用されることが多いため、溶液が二層系から均一になった時点までにかかった時間を加水分解時間とした。
【００１７】
［実施例１］
ポリテトラフルオロエチレン製撹拌子を備えた蓋付き５０ｍｌガラス瓶にビニルトリエトキシシラン１０ｇと水２０ｇを仕込み、添加化合物として、２−クロロ−２−メチルプロパン２．６ｍｇ（塩素質量分で１００ｐｐｍ）を添加して室温下でスターラーにて撹拌した。当初二層に分かれていた溶液が均一になるまでの時間は３時間であった。また、ビニルトリエトキシシランに２−クロロ−２−メチルプロパンを添加した時点ではｐＨは７を示したが、均一になった時点ではｐＨは４であった。
【００１８】
［実施例２］
２−クロロ−２−メチルプロパンの添加量を５．２ｍｇ（塩素質量分で２００ｐｐｍ）に変更した以外は実施例１と同様に室温下でスターラーにて撹拌した。溶液が均一になるまでの時間は２時間であった。
【００１９】
［実施例３］
２−クロロ−２−メチルプロパンの添加量を１．３ｍｇ（塩素質量分で５０ｐｐｍ）に変更した以外は実施例１と同様にスターラーにて撹拌した。溶液が均一になるまでの時間は５時間であった。
【００２０】
［実施例４］
添加する化合物を２−クロロ−２−メチルブタン３．０ｍｇ（塩素質量分で１００ｐｐｍ）に変更した以外は実施例１と同様にスターラーにて撹拌した。溶液が均一になるまでの時間は３時間であった。
【００２１】
［実施例５］
アルコキシシランに含まれる塩素化合物の構造中に芳香族を持つものでも適用できることを示すために、添加する化合物をトリチルクロリド８．０ｍｇ（塩素質量分で１００ｐｐｍ）に変更した以外は実施例１と同様に室温下でスターラーにて撹拌した。溶液が均一になるまでの時間は２時間であった。
【００２２】
［比較例１］
塩素置換された３級炭素を有する化合物を添加していない以外は実施例１と同様に室温下でスターラーにて撹拌した。この系では６時間経過しても溶液が均一になることはなかった。
【００２３】
［比較例２］
添加する化合物を濃塩酸２．９ｍｇ（塩素質量分で１００ｐｐｍ）に変更した以外は実施例１と同様にスターラーにて撹拌した。溶液が均一になるまでの時間は２時間であった。ビニルトリエトキシシランに濃塩酸を添加した時点でｐＨは３であり、加水分解開始前からアルコキシシラン自身が酸性を示していた。
【００２４】
［実施例６］
ポリテトラフルオロエチレン製撹拌子を備えた蓋付き１００ｍｌガラス瓶にビニルトリエトキシシラン２ｇと水９８ｇを仕込み、添加化合物として、２−クロロ−２−メチルプロパン５．２ｍｇ（塩素質量分で１，０００ｐｐｍ）を添加して室温下でスターラーにて撹拌した。溶液が均一になるまでの時間は３０分であった。また、ビニルトリエトキシシランに２−クロロ−２−メチルプロパンを添加した時点ではｐＨは７を示したが、均一になった時点ではｐＨは４であった。
【００２５】
［比較例３］
塩素置換された３級炭素を有する化合物を添加していない以外は実施例６と同様に室温下でスターラーにて撹拌した。この系では６時間経過しても溶液が均一になることはなかった。
【００２６】
［実施例７］
他のアルキルアルコキシシランにも適用できることを示すため、実施例７、８及び比較例４を実施した。
ポリテトラフルオロエチレン製撹拌子を備えた蓋付き５０ｍｌガラス瓶にヘキシルトリメトキシシラン１０ｇと水２０ｇを仕込み、添加化合物として、２−クロロ−２−メチルプロパン１３．０ｍｇ（塩素質量分で５００ｐｐｍ）を添加して室温下でスターラーにて撹拌した。溶液が均一になるまでの時間は２時間であった。
【００２７】
［実施例８］
添加する化合物を２−クロロ−２−メチルブタン１５．０ｍｇ（塩素質量分で５００ｐｐｍ）に変更した以外は実施例７と同様にスターラーにて撹拌した。溶液が均一になるまでの時間は２時間であった。
【００２８】
［比較例４］
塩素置換された３級炭素を有する化合物を添加していない以外は実施例７と同様に室温下でスターラーにて撹拌した。この系では６時間経過しても溶液が均一になることはなかった。
【００２９】
［実施例９］
アリールアルコキシシランにも適用できることを示すため、実施例９及び比較例５を実施した。
ポリテトラフルオロエチレン製撹拌子を備えた蓋付き５０ｍｌガラス瓶にフェニルトリメトキシシラン１ｇと水１０ｇを仕込み、添加化合物として、２−クロロ−２−メチルプロパン２．６ｍｇ（塩素質量分で１，０００ｐｐｍ）を添加して室温下でスターラーにて撹拌した。溶液が均一になるまでの時間は３０分であった。
【００３０】
［比較例５］
塩素置換された３級炭素を有する化合物を添加していない以外は実施例９と同様に室温下でスターラーにて撹拌した。この系では６時間経過しても溶液が均一になることはなかった。
【００３１】
［実施例１０］
アルコキシシラン中に含まれる塩素化合物が不飽和脂肪族系でも適用できることを示すために実施例１０、１１及び比較例６を実施した。ポリテトラフルオロエチレン製撹拌子を備えた蓋付き５０ｍｌガラス瓶にメチルトリメトキシシラン１０ｇと水２０ｇを仕込み、添加化合物として、２−クロロ−２−メチルプロパン２．６ｍｇ（塩素質量分で１００ｐｐｍ）を添加して室温下でスターラーにて撹拌した。溶液が均一になるまでの時間は２０分であった。
【００３２】
［実施例１１］
添加する化合物を３−クロロ−３−メチルブチン２．９ｍｇ（塩素質量分で１，０００ｐｐｍ）に変更した以外は実施例１０と同様にスターラーにて撹拌した。溶液が均一になるまでの時間は３時間であった。
【００３３】
［比較例６］
塩素置換された３級炭素を有する化合物を添加していない以外は実施例１０と同様に室温下でスターラーにて撹拌した。この系では６時間経過しても溶液が均一になることはなかった。
【００３４】
［実施例１２］
アルコキシシランの構造中に反応性基を有していても適用できることを示すために実施例１２及び比較例７、８を実施した。
ポリテトラフルオロエチレン製撹拌子を備えた蓋付き５０ｍｌガラス瓶に３−グリシドキシプロピルトリエトキシシラン１０ｇと水２０ｇを仕込み、添加化合物として、２−クロロ−２−メチルプロパン２．６ｍｇ（塩素質量分で１００ｐｐｍ）を添加して室温下でスターラーにて撹拌した。溶液が均一になるまでの時間は２時間であった。
【００３５】
［比較例７］
塩素置換された３級炭素を有する化合物を添加していない以外は実施例１２と同様に室温下でスターラーにて撹拌した。この系では６時間経過しても溶液が均一になることはなかった。
【００３６】
［比較例８］
添加する化合物を濃塩酸２．９ｍｇ（塩素質量分で１００ｐｐｍ）に変更した以外は実施例１２と同様にスターラーにて撹拌した。この系では６時間経過しても溶液が均一になることはなかった。これは、エポキシ基と反応し、濃塩酸が消費されたためである。